(57)【要約】【課題】エンコーダ方式のメータから指針値を取得するように設計された集中検針盤に対して、電子式メータから取得した指針値を伝達すること。【解決手段】電子式メータから指針値を読み込み、み込んだ指針値をメモリ３４に記録するメータ通信部３３と、検針盤２０が測定電流を出力している系統と、当該測定電流の流れの向きとを検出し、検出した系統および向きに対応するメモリに格納されている指針値の桁の値に応じた抵抗値を前記測定電流検出部が検出する系統に挿入するエンコーダ出力部３５とを具備することを特徴とする。【選択図】    図１
2010204950.tif 000002
【特許請求の範囲】
【請求項１】
エンコーダ方式の１台のメータから指示値を読み出すために測定電流を出力する複数の系統を有し、前記測定電流を出力する系統を変化させ、前記測定電流が流れる系統の抵抗を測定することによって指針値を取得する検針盤に、電子式メータから取得した指針値を伝達するリモートアダプタ装置であって、
電子式メータから指針値を取得するメータ通信部と、
前記取得した指針値を記憶する記憶部と、
前記検針盤が測定電流を出力している系統を検出する測定電流検出部と、
前記メモリから前記指針値を読み出し、前記測定電流検出部が検出する系統に対応する指針値の桁の値に応じた抵抗値を前記測定電流検出部が検出する系統に挿入する抵抗挿入部と
を具備することを特徴とするリモートアダプタ装置。
【請求項２】
前記リモートアダプタ装置は内蔵電池によって駆動され、
表示部と、前記内蔵電池の電圧を測定し、測定した電圧値が設定値より低い場合に、前記表示部に前記内蔵電池の電圧が低くなっていることを示す電池電圧監視部とを更に具備することを特徴とする請求項１に記載のリモートアダプタ装置。
【請求項３】
エンコーダ方式の１台のメータから指示値を読み出すために測定電流を出力する複数の系統を有し、前記測定電流を出力する系統を変化させ、前記測定電流が流れる系統の抵抗を測定することによって指針値を取得する検針盤に、電子式メータから取得した指針値を伝達するリモートアダプタ装置の指針値伝達方法であって、
電子式メータから指針値を定期的に取得し、
前記取得した指針値を記憶部に格納し、
前記検針盤が測定電流を出力している系統を検出し、
前記メモリから前記指針値を読み出し、前記検出された系統に対応する指針値の桁の値に応じた抵抗値を前記検出された系統に挿入することを特徴とする指針値伝達方法。
【請求項４】
前記リモートアダプタ装置は内蔵電池によって駆動され、
前記内蔵電池の電圧を測定し、測定した電圧値が設定値より低い場合に、表示部に前記内蔵電池の電圧が低くなっていることを示すことを特徴とする請求項３に記載の指針値伝達方法。
【発明の詳細な説明】
【技術分野】
【０００１】
本発明は、電子式メータの指針値をエンコーダ方式のメータから指針値を読み出すように設計された集中検針盤に伝達するリモートアダプタ装置および指針値伝達方法に関する。
【背景技術】
【０００２】
中高層住宅において、水道の使用量を検針するために検針員が一戸ずつ訪問して検針用メータの検針を行わずにすむように、集中検針盤を設けることがある。検針員は、集中検針盤を操作することで各戸のメータの指針を読み取ることができる。集中検針盤に対応するメータとして、エンコーダ方式および電子式指示方式等がある。
【０００３】
エンコーダ方式は、計量機構の羽根車の回転をマグネットカップリングを介してエンコーダユニットに導くものである。エンコーダユニットは、単位水量ごとに羽根車の回転により蓄積されたエネルギーを放出する間欠早送り機構によって、桁別(1,O00、l00、10、1など)のロータリスイッチを動かし、計量値が保持、記憶される。
【０００４】
集中検針盤がメータの計量値を読み取る場合、保持、記憶されている計量値を変換器により電気信号化し、集中検針盤が電気信号を受信する。例えば、集中検針盤は、以下のように計量値を読み取っていた。
【０００５】
１．集中検針盤はメータに対して定電流を送出する。
【０００６】
２．メータは、定電流送出後、一定時間経過した後、抵抗値を電圧として取り込みＡ／Ｄ変換を行う。
【０００７】
３．集中検針盤は、Ａ／Ｄ変換値から値を特定する。
【０００８】
４．上記２、３を各桁に対して行い４桁の各桁の値を取得する。
【０００９】
また、電子式指示方式は、水道メータの指示部を電子化し、計量値を電気的に記憶するものである。集中検針盤が計量値を読み出す場合、メータは集中検針盤側からの起動により記憶している計量値を決められたフォーマットで出力し、それを集中検針盤側で読取表示する。
【００１０】
上述したように、メータの方式に応じて集中検針盤に送信される信号が異なるので、集中検針盤はメータの方式に対応する物を用いる必要がある。
【先行技術文献】
【特許文献】
【００１１】
【特許文献１】特開平６−３２６７８２号公報
【発明の概要】
【発明が解決しようとする課題】
【００１２】
現在、出願人は、エンコーダ方式および電子式指針方式のメータを製造している。しかし、今後、エンコーダ方式のメータの販売を打ち切る。
【００１３】
ところで、メータは計量法により使用期限が定められている。そのため、メータは定期的に交換しなければならない。従って、エンコーダ方式のメータの製造打ち切りに伴い、エンコーダ方式のメータが電子式指針方式のメータに置き換わることになる。
【００１４】
先に述べたように、集中検針盤はメータの方式に対応する物を用いる必要がある。エンコーダ方式のメータを電子式指針方式のメータに交換すると、エンコーダ方式のメータに対応する集中検針盤が電子式指針方式のメータの計量値を読み取ることができない。
【００１５】
メータと集中検針盤との双方を全面的に置き換える方法もあるが、初期コストがかかってしまう。通常、集中検針盤は２０年から３０年使用され、メータと同時に交換するものではない。
【００１６】
本発明の目的は、エンコーダ方式のメータから指針値を取得するように設計された集中検針盤に対して、電子式メータから取得した指針値を伝達することが可能なリモートアダプタ装置および指針値伝達方法を提供することにある。
【課題を解決するための手段】
【００１７】
本発明の一例に係わるリモートアダプタ装置は、エンコーダ方式の１台のメータから指示値を読み出すために測定電流を出力する複数の系統を有し、前記測定電流を出力する系統および前記測定電流の流れの向きを変化させ、前記測定電流が流れる系統の抵抗を測定することによって指針値を取得する検針盤に、電子式メータから取得した指針値を伝達するリモートアダプタ装置であって、電子式メータから指針値を読み込むメータ通信部と、前記読み込んだ指針値を記憶する記憶部と、前記検針盤が測定電流を出力している系統と、当該測定電流の流れの向きとを検出する測定電流検出部と、前記メモリから前記指針値を読み出し、前記測定電流検出部が検出する系統および向きに対応する指針値の桁の値に応じた抵抗値を前記測定電流検出部が検出する系統に挿入する抵抗挿入部とを具備することを特徴とする。
【発明の効果】
【００１８】
本発明によれば、エンコーダ方式のメータから指針値を取得するように設計された集中検針盤に対して、電子式メータから取得した指針値を伝達することが可能になる。
【図面の簡単な説明】
【００１９】
【図１】本発明の一実施形態に係わる検針システムの概略を示す図。
【図２】リモートアダプタ装置と電子式メータとの間で通信を行って、リモートアダプタ装置が指針値を取得する際のメッセージを示す図。
【図３】図１に示すエンコーダ出力部および検針盤の構成を示す図。
【図４】図３に示す測定電流検出部の構成の一例を示す図。
【図５】図３に示す可変抵抗部の構成の一例を示す図。
【図６】メータ通信部が電子式メータから指針値を取得する手順を示すフローチャート。
【図７】リモートアダプタ装置が検針盤に指針値を伝達する手順を示すフローチャート。
【図８】図１に示す内蔵電池電圧監視部が行う処理の手順を示すフローチャート。
【図９】５線式に対応するエンコーダ出力部および検針盤の構成を示す図。
【発明を実施するための形態】
【００２０】
本発明の実施の形態を以下に図面を参照して説明する。
【００２１】
図１は、本発明の一実施形態に係わる検針システムの概略を示す図である。  
図１に示すように、本システムは、中高層住宅の各戸にそれぞれ設けられる電子式指針方式メータ１０、集中検針盤２０、およびリモートアダプタ装置３０等から構成される。集中検針盤２０はエンコーダ方式のメータに対応し、電子式指針方式のメータに対応していない。なお、リモートアダプタ装置３０はメータ１０の近傍に設けられる。
【００２２】
リモートアダプタ装置３０は、テストスイッチ３１、カレンダークロック３２、メータ通信部３３、メモリ３４、エンコーダ出力部３５、内蔵電池３６、内蔵電池電圧監視部３７、および表示部３８等を備えている。
【００２３】
カレンダークロック３２は、日時の計測を行う時計である。また、メータ通信部３３が定期的（例えば毎日定時）にメータ１０から指針値を取得するための日時が設定される。カレンダークロック３２は、設定された日時になると、メータ通信部３３に対して割込命令を送信する。割込命令を受信したメータ通信部３３は、電子式指針方式メータ１０と通信を行って、メータ１０の計量値を取得する。
【００２４】
また、ユーザがテストスイッチ３１を操作すると、割込命令がメータ通信部３３に送信される。割込命令を受信したメータ通信部３３は、電子式指針方式メータ１０と通信を行って、メータ１０の計量値を取得する。
【００２５】
カレンダークロック３２またはテストスイッチ３１から割込命令を受信したメータ通信部３３は、電子式指針方式メータ１０と通信を行って、メータ１０の計量値を取得する。また、メータ通信部３３は、ユーザによるテストスイッチ３１に応じてメータ１０と通信を行う。メータ通信部３３は、取得した計量値を取得日時と共にメモリ３４（例えば、不揮発性メモリ）に記録する。
【００２６】
ところで、検針盤２０が、エンコーダ式のメータから４桁の値を取得するために２００ｍｓ程度必要である。ところが、電子式メータが指針値を出力するのに１Ｓ程度必要である。従って、検針盤２０が測定電流を出力してからリモートアダプタ装置３０が電子式メータ１０から指針値を取得するのでは、検針盤２０側でエラーとなってしまう。従って、リモートアダプタ装置３０は、検針盤２０が測定電流を出力してから、電子式メータ１０から指針値を取得することができない。そのため、リモートアダプタ装置３０は予め電子式メータ１０から指針値を取得しておく必要がある。そのため、リモートアダプタ装置３０は、１日１回以上電子式メータ１０から指針値を取得する必要がある。
【００２７】
図２にリモートアダプタ装置３０と電子式メータ１０との間で通信を行って、リモートアダプタ装置３０が指針値を取得する際のメッセージを示す。図２（Ａ）は、リモートアダプタ装置３０が電子式メータ１０に送信する起動電文である。図２（Ｂ）は、起動電文を受信した電子式メータ１０がリモートアダプタ装置３０に送信する指針値を含む応答電文である。図２（Ｃ）は、電子式メータ１０から応答電文を正常に受信したリモートアダプタ装置３０が電子式メータ１０に送信する終了電文である。
【００２８】
図２（Ａ）に示すように、起動電文は“ＳＴＸ”、“５”、“ＥＴＸ”、“ＢＣＣ”から構成される。“ＳＴＸ（Start of TEXT）”は、メッセージコマンドの先頭を示すキャラクタである。“５”は、指針値の送信を命令するコマンドである。“ＥＴＸ（End of TEXT”は、“ＳＴＸ”によって始まったメッセージを終了するためのキャラクタである。“ＢＣＣ”は、“ＳＴＸ“直後から“ＥＴＸ”まで（“ＥＴＸ”を含む）の排他的論理和を演算したもので、チェックサムである。
【００２９】
図２（Ｂ）に示すように、応答電文は“ＳＴＸ”、“事業体コード（２桁）”、“メータＩＤ（２桁）”、“Ｄ０５”、“指針値（８桁）”、“アラーム情報（５桁）”、“小数点情報（１桁）”、“日時（８桁）”、“ＥＴＸ”、および“ＢＣＣ”から構成されている。“事業体コード”は、メータが測定する物理量とメータの指針値を受けるものを表す情報を含む。“事業体コード”はガス、水道、および電力を識別する符号と、指針値を受ける者に固有なコード番号とから構成される。“メータＩＤ”は、メータに固有なＩＤ番号である。起動電文中の“５”に対応するものであり、“Ｄ０５”は後に指針値があることを示すキャラクタである。“指針値”は、メータが検針した値である。アラーム情報はメータを駆動する内蔵電池の電圧低下等の異常事態を通知するためのメッセージである。“小数点情報”は、指針値の小数点位置を示す情報である。“日時”は、検針日時を示す。“ＳＴＸ”、“ＥＴＸ”、および“ＢＣＣ”は起動電文と同様である。
【００３０】
図２（Ｃ）に示すように、終了電文は、“ＳＴＸ”、“Ａ”、“ＥＴＸ”、および“ＢＣＣ”から構成されている。“Ａ”はリモートアダプタ装置３０が応答電文を正常に受信したことを示すキャラクタである。
【００３１】
リモートアダプタ装置３０は、定期的、あるいはテストスイッチ３１の操作があった場合に、電子式メータ１０に対して起動電文を送信する。
【００３２】
電子式メータ１０は、指針値を応答電文として返信する。メータ通信部３３は、正常に電文受信できたら、終了電文を送信し、指針値読み取り処理を終了する。メータ通信部３３は、返信された指針値から電文中の小数点情報の値の桁数分指針値を切り出す。メータ通信部３３は、切り出した指針値を日時とともにメモリ３４に記録する。応答電文に対して返信がない場合、メータ通信部３３は、起動電文を３回までリトライする。リトライしても応答電文がない場合、メータ通信部３３は、通信異常とし、指針値未取得状態としメモリ３４に記憶する。
【００３３】
なお、メータ１０との通信確認を行うため、また手動で指針値を読み取る機能としてテストスイッチ３１を設け、スイッチ３１を作動することにより、メータ１０へ起動電文を送信し、指針値を取得し、メモリ３４の指針値を更新する。これにより、手動で指針値を読み出すことができ、通信異常であっても指針値を更新することが可能となる。また、内蔵電池の電圧低下を監視する内蔵電池電圧監視部３７をさらに備え、内蔵電池３６の電圧を所定周期で監視し、あらかじめ決められた値以下の状態が連続した場合、状態を表示することにより、内蔵電池交換、充電などの処置を行えるようにした。
【００３４】
エンコーダ出力部３５および検針盤２０の構成について図３を参照して説明する。  
検針盤２０は、定電流源２１、２２、スイッチ部２３、２４、およびＡ／Ｄ変換回路２５等を備えている。検針盤２０は検針値を取得するために、スイッチ部２３およびスイッチ部２４を操作して黒線ＬB−白線ＬW、または黒線ＬB−赤線ＬRに定電流源２１または定電流源２２から定電流（測定電流）を流す。そして、抵抗値を電圧として取り込みＡ／Ｄ変換回路２５によってＡ／Ｄ変換を行う。つまり、検針盤２０は、測定電流を出力する黒線ＬB−白線ＬWの系統と、黒線ＬB−赤線ＬRの系統との複数の系統を有する。そして、電圧値から抵抗を求め、抵抗から桁の値を求める。また、測定時、黒線ＬB−白線ＬW、または黒線ＬB−赤線ＬRに流れる電流の向きを変えることによって、黒線ＬB−白線ＬW、または黒線ＬB−赤線ＬRでそれぞれ２桁の値を取得している。つまり、検針盤２０は、４桁の値を取得するための測定系統として電流が黒線ＬB−赤線ＬRに流れる系統と、赤線ＬR−黒線ＬBに流れる系統と、黒線ＬB−白線ＬWに流れる系統と、白線ＬW−黒線ＬBに流れる系統との４つの測定系統を有する。
【００３５】
通常は、先ず、スイッチ部２３およびスイッチ部２４を操作することによって赤線ＬRから黒線ＬBに電流を流して始めてからから１０ｍｓ後、２０ｍｓ後、および３０ｍｓ後の３回、千の位の値に対応する電圧（抵抗）を測定する。そして、測定結果の平均値から千の位の値を決定する。次に、赤線ＬRから黒線ＬBに電流を流してから４０ｍｓ後にスイッチ部２３を操作することによって、黒線ＬBから赤線ＬRに電流を流す。黒線ＬBから赤線ＬRに電流を流し始めてから１０ｍｓ後、２０ｍｓ後、および３０ｍｓ後の３回、百の位の値に対応する電圧（抵抗）を測定する。そして、測定結果の平均値から百の位の値を決定する。次に、黒線ＬBから赤線ＬRに電流を流してから４０ｍｓ後にスイッチ部２４を操作することによって、黒線ＬBから白線Ｌwに電流を流す。黒線ＬBから白線Ｌwに電流を流し始めてから１０ｍｓ後、２０ｍｓ後、および３０ｍｓ後の３回、十の位の値に対応する電圧（抵抗）を測定する。そして、測定結果の平均値から十の位の値を決定する。次に、黒線ＬBから白線Ｌwに電流を流してから４０ｍｓ後にスイッチ部２３を操作することによって、白線Ｌwから黒線ＬBに電流を流す。白線Ｌwから黒線ＬBに電流を流し始めてから１０ｍｓ後、２０ｍｓ後、および３０ｍｓ後の３回、一の位の値に対応する電圧（抵抗）を測定する。そして、測定結果の平均値から一の位の値を決定する。
【００３６】
エンコーダ出力部３５は、測定電流検出部３５１、スイッチ部３５２、抵抗値設定部３５３、および可変抵抗部３５４等を備えている。
【００３７】
測定電流検出部３５１は、測定電流の有無、測定電流が流れるライン、および測定電流が流れる向きを検出する。測定電流検出部３５１は、抵抗値設定部３５３およびスイッチ部３５２に測定電流が流れるラインおよび向きを通知する。
【００３８】
黒線ＬB−赤線ＬR間に電流が流れ、黒線ＬBから赤線ＬRに電流が流れている場合、測定電流検出部３５１は、スイッチ部３５２および抵抗値設定部３５３に出力する信号ＳBRをイネーブルにする。黒線ＬB−赤線ＬR間に電流が流れ、赤線ＬRから黒線ＬBに電流が流れている場合、測定電流検出部３５１は、スイッチ部３５２および抵抗値設定部３５３に出力する信号ＳRBをイネーブルにする。黒線ＬB−白線ＬW間に電流が流れ、黒線ＬBから白線ＬWに電流が流れている場合、測定電流検出部３５１は、スイッチ部３５２および抵抗値設定部３５３に出力する信号ＳBWをイネーブルにする。黒線ＬB−白線ＬW間に電流が流れ、白線ＬWから黒線ＬBに電流が流れている場合、測定電流検出部３５１は、スイッチ部３５２および抵抗値設定部３５３に出力する信号ＳWBをイネーブルにする。測定電流検出部３５１は、この４種類の信号によってスイッチ部３５２および抵抗値設定部３５３に測定電流が流れるラインおよび向きを通知する。
【００３９】
スイッチ部３５２は、測定電流検出部３５１から通知された測定電流が流れるラインに応じて、通知されたラインに電流が流れるように制御する。スイッチ部３５２は、信号ＳBRまたは信号ＳRBがイネーブルであり、黒線ＬB−赤線ＬR間に電流が流れていることが通知された場合、線ＬRWを赤線ＬRに接続する。また、スイッチ部３５２は、信号ＳBWまたは信号ＳWBがイネーブルであり、黒線ＬB−白線ＬW間に電流が流れていることが通知された場合、線ＬRWを白線ＬWに接続する。
【００４０】
抵抗値設定部３５３は、測定電流検出部３５１から測定電流が流れていることを通知すると、メモリ３４に記憶されている４桁の検針値を読み出す。抵抗値設定部３５３は、測定電流検出部３５１から通知された測定電流が流れるラインおよび流れの向きに応じて、読み出した検針値の対応する桁の値に対応する抵抗値を可変抵抗部３５４に設定する。
【００４１】
値に対応する抵抗値を表１に示す。
【表１】
2010204950.tif 000003
【００４２】
なお、本実施形態の場合、通常のメータと異なり測定電流検出部３５１等が接続されているので、測定電流検出部３５１の内部抵抗等に応じて、可変抵抗部３５４の抵抗値を設定しなければならない。
【００４３】
次に、測定電流検出部３５１の構成の一例を図４に示す。図４に示すように、ダイオードＤBR、ダイオードＤRB、ダイオードＤBW、ダイオードＤWB、電圧計ＶＭBR、電圧計ＶＭRB、電圧計ＶＭBW、電圧計ＶＭWB、および検出部３５１１等を備えている。ダイオードＤBRの一端が黒線ＬBに接続され、他端側が赤線ＬBに接続されている。ダイオードの他端側と赤線ＬBとの間に電圧計ＶＭBRが挿入されている。電圧計ＶＭBRの測定値は検出部３５１１に送信される。ダイオードＤRBの一端が黒線ＬBに接続され、他端側が赤線ＬBに接続されている。ダイオードの他端側と赤線ＬBとの間に電圧計ＶＭRBが挿入されている。電圧計ＶＭRBの測定値は検出部３５１１に送信される。ダイオードＤBWの一端が黒線ＬBに接続され、他端側が白線ＬBに接続されている。ダイオードＤBWの他端側と白線ＬWとの間に電圧計ＶＭBWが挿入されている。電圧計ＶＭBWの測定値は検出部３５１１に送信される。ダイオードＤWBの一端が黒線ＬBに接続され、他端側が白線ＬBに接続されている。ダイオードＤWBの他端側と白線ＬWとの間に電圧計ＶＭWBが挿入されている。電圧計ＶＭWBの測定値は検出部３５１１に送信される。
【００４４】
黒線ＬBから赤線ＬRに測定電流が流れている場合、電圧計ＶＭBRのみが電圧値を測定し、他の電圧計ＶＭRB、ＶＭBW、ＶＭWBは電圧値を測定することができない。同様に、赤線ＬRから黒線ＬBに測定電流が流れている場合、電圧計ＶＭRBのみが電圧値を測定し、他の電圧計ＶＭBR、ＶＭBW、ＶＭWBは電圧値を測定することができない。同様に、黒線ＬBから白線ＬWに測定電流が流れている場合、電圧計ＶＭBWのみが電圧値を測定し、他の電圧計ＶＭBR、ＶＭRB、ＶＭWBは電圧値を測定することができない。同様に、白線ＬWから黒線ＬBに測定電流が流れている場合、電圧計ＶＭWBのみが電圧値を測定し、他の電圧計ＶＭBR、ＶＭRB、ＶＭBWは電圧値を測定することができない。
【００４５】
従って、検出部３５１１は、電圧計ＶＭBR、電圧計ＶＭRB、電圧計ＶＭBW、電圧計ＶＭWBの測定値を監視することで、測定電流の有無、測定電流が流れるライン、および測定電流が流れる向きを検出する。
【００４６】
次に、可変抵抗部３５４の構成の一例について図５を参照して説明する。可変抵抗部３５４は、抵抗Ｒ0、抵抗Ｒ1、抵抗Ｒ2、抵抗Ｒ3、抵抗Ｒ4、抵抗Ｒ5、抵抗Ｒ6、抵抗Ｒ7、抵抗Ｒ8、抵抗Ｒ9、スイッチ部ＳＷ0、スイッチ部ＳＷ1、スイッチ部ＳＷ2、スイッチ部ＳＷ3、スイッチ部ＳＷ4、スイッチ部ＳＷ5、スイッチ部ＳＷ6、スイッチ部ＳＷ7、スイッチ部ＳＷ8、およびスイッチ部ＳＷ9等を備えている。
【００４７】
抵抗Ｒ0、抵抗Ｒ1、抵抗Ｒ2、抵抗Ｒ3、抵抗Ｒ4、抵抗Ｒ5、抵抗Ｒ6、抵抗Ｒ7、抵抗Ｒ8、および抵抗Ｒ9が直列に接続されている。抵抗Ｒ0の一端は黒線ＬBに接続されている。抵抗Ｒ0の他端はスイッチ部ＳＷ0を介して線ＬRWに接続されている。抵抗Ｒ1の一端は抵抗Ｒ0に接続されている。抵抗Ｒ1の他端はスイッチ部ＳＷ1を介して線ＬRWに接続されている。抵抗Ｒ2の一端は抵抗Ｒ1に接続されている。抵抗Ｒ2の他端はスイッチ部ＳＷ2を介して線ＬRWに接続されている。抵抗Ｒ3の一端は抵抗Ｒ2に接続されている。抵抗Ｒ3の他端はスイッチ部ＳＷ3を介して線ＬRWに接続されている。抵抗Ｒ4の一端は抵抗Ｒ3に接続されている。抵抗Ｒ4の他端はスイッチ部ＳＷ4を介して線ＬRWに接続されている。抵抗Ｒ5の一端は抵抗Ｒ4に接続されている。抵抗Ｒ5の他端はスイッチ部ＳＷ5を介して線ＬRWに接続されている。抵抗Ｒ6の一端は抵抗Ｒ5に接続されている。抵抗Ｒ6の他端はスイッチ部ＳＷ6を介して線ＬRWに接続されている。抵抗Ｒ7の一端は抵抗Ｒ6に接続されている。抵抗Ｒ7の他端はスイッチ部ＳＷ7を介して線ＬRWに接続されている。抵抗Ｒ8の一端は抵抗Ｒ7に接続されている。抵抗Ｒ8の他端はスイッチ部ＳＷ8を介して線ＬRWに接続されている。抵抗Ｒ9の一端は抵抗Ｒ8に接続されている。抵抗Ｒ9の他端はスイッチ部ＳＷ9を介して線ＬRWに接続されている。
【００４８】
抵抗Ｒ0の抵抗値は“０”の値に対応する。抵抗Ｒ0および抵抗Ｒ1の合成抵抗値は“１”の値に対応する。抵抗Ｒ0〜抵抗Ｒ2の合成抵抗値は“２”の値に対応する。抵抗Ｒ0〜抵抗Ｒ3の合成抵抗値は“３”の値に対応する。抵抗Ｒ0〜抵抗Ｒ4の合成抵抗値は“４”の値に対応する。抵抗Ｒ0〜抵抗Ｒ5の合成抵抗値は“５”の値に対応する。抵抗Ｒ0〜抵抗Ｒ6の合成抵抗値は“６”の値に対応する。抵抗Ｒ0〜抵抗Ｒ7の合成抵抗値は“７”の値に対応する。抵抗Ｒ0〜抵抗Ｒ8の合成抵抗値は“８”の値に対応する。抵抗Ｒ0〜抵抗Ｒ9の合成抵抗値は“９”の値に対応する。
【００４９】
抵抗値設定部３５３は、０の値に相当する抵抗を可変抵抗部３５４に設定する場合、スイッチ部ＳＷ0のみをオンにし、他のスイッチ部ＳＷ1〜ＳＷ9をオフにする。また、抵抗値設定部３５３は、２の値に相当する抵抗を可変抵抗部３５４に設定する場合、スイッチ部ＳＷ2のみをオンにし、他のスイッチ部ＳＷ0、ＳＷ1、ＳＷ3〜ＳＷ9をオフにする。また、抵抗値設定部３５３は、３の値に相当する抵抗を可変抵抗部３５４に設定する場合、スイッチ部ＳＷ3のみをオンにし、他のスイッチ部ＳＷ0〜ＳＷ2、ＳＷ4〜ＳＷ9をオフにする。また、抵抗値設定部３５３は、４の値に相当する抵抗を可変抵抗部３５４に設定する場合、スイッチ部ＳＷ4のみをオンにし、他のスイッチ部ＳＷ0〜ＳＷ3、ＳＷ5〜ＳＷ9をオフにする。また、抵抗値設定部３５３は、５の値に相当する抵抗を可変抵抗部３５４に設定する場合、スイッチ部ＳＷ5のみをオンにし、他のスイッチ部ＳＷ0〜ＳＷ4、ＳＷ6〜ＳＷ9をオフにする。また、抵抗値設定部３５３は、６の値に相当する抵抗を可変抵抗部３５４に設定する場合、スイッチ部ＳＷ6のみをオンにし、他のスイッチ部ＳＷ0〜ＳＷ5、ＳＷ7〜ＳＷ9をオフにする。また、抵抗値設定部３５３は、７の値に相当する抵抗を可変抵抗部３５４に設定する場合、スイッチ部ＳＷ7のみをオンにし、他のスイッチ部ＳＷ0〜ＳＷ6、ＳＷ8、ＳＷ9をオフにする。また、抵抗値設定部３５３は、８の値に相当する抵抗を可変抵抗部３５４に設定する場合、スイッチ部ＳＷ8のみをオンにし、他のスイッチ部ＳＷ0〜ＳＷ7、ＳＷ9をオフにする。また、抵抗値設定部３５３は、９の値に相当する抵抗を可変抵抗部３５４に設定する場合、スイッチ部ＳＷ9のみをオンにし、他のスイッチ部ＳＷ0〜ＳＷ8をオフにする。
【００５０】
前述したように、検針盤２０は、電流を流してから１０ｍｓ毎に３回Ａ／Ｄ変換を行って電圧値（抵抗値）を取得する。従って、測定電流検出部３５１が測定電流の検出、測定電流が流れる向きの変化の検出、測定電流が流れる系統の切り替えの検出を行ってから、１０ｍｓ未満の間に可変抵抗部３５４に桁の値に対応する抵抗値を設定しなければならない。従って、可変抵抗部３５４は、機械式のスイッチを設けるのではなく、例えばトランジスタ等の電気的にオン／オフを切り替えることができる電子素子を用いて、抵抗値を設定することが好ましい。なお、１０ｍｓ未満の間に可変抵抗部３５４に桁の値に対応する抵抗値を設定すると述べたが、マージンを取って５ｍｓ以内に抵抗値を設定できるようにすることが好ましい。
【００５１】
次に、メータ通信部３３が電子式メータ１０から指針値を取得する手順について図６のフローチャートを参照して説明する。  
先ず、メータ通信部３３は、カレンダークロック３２またはテストスイッチ３１から割込信号を受信するまで待機する（ステップＳ１１）。割込信号を受信した場合（ステップＳ１１のＹｅｓ）、メータ通信部３３は電子式メータ１０から指針値を取得する（ステップＳ１２）。メータ通信部３３は、電子式メータ１０から指針値を正常に取得できたか否かを判別する（ステップＳ１３）。正常に取得できなかったと判断した場合（ステップＳ１３のＮｏ）、メータ通信部３３は表示部３８に通信エラーがあったことを示す表示を行う（ステップＳ１６）。正常に取得できたと判断した場合（ステップＳ１３のＹｅｓ）、メータ通信部３３は読み取った指針値を日時と共にメモリ３４に記録する。メータ通信部３３は表示部３８に、正常に指針値を読み取ったことを示す表示を行う（ステップＳ１５）。そして、メータ通信部３３は再度割込信号を取得するまで待機する。
【００５２】
次に、図７を参照してリモートアダプタ装置３０が検針盤２０に指針値を伝達する手順を説明する。抵抗値設定部３５３は、測定電流検出部３５１から赤線ＬRから黒線ＬBに測定電流が流れていることを示す信号ＳRBがイネーブルになるまで待機する。信号ＳRBがイネーブルになった場合（ステップＳ２１のＹｅｓ）、抵抗値設定部３５３はメモリ３４から指針値を読み出す（ステップＳ２２）。そして、抵抗値設定部３５３は指針値の千の位の値に対応する抵抗値を可変抵抗部３５４に設定する（ステップＳ２３）。続いて、信号ＳRBがディスイネーブル、且つ測定電流が黒線ＬBから赤線ＬRに流れていることを示す信号ＳBRがイネーブルになり、電流の向きが反転した場合（ステップＳ２４のＹｅｓ）、抵抗値設定部３５３は指針値の百の位の値に対応する抵抗値を可変抵抗部３５４に設定する（ステップＳ２５）。
【００５３】
続いて、信号ＳBRがディスイネーブル、且つ測定電流が黒線ＬBから白線ＬWに流れていることを示す信号ＳBWがイネーブルになり、測定電流の流れる系統が変化した場合（ステップＳ２６のＹｅｓ）、抵抗値設定部３５３は指針値の十の位の値に対応する抵抗値を可変抵抗部３５４に設定する（ステップＳ２７）。信号ＳBWがディスイネーブル、且つ測定電流が白線ＬWから黒線ＬBに流れていることを示す信号ＳWBがイネーブルになり、電流の向きが反転した場合（ステップＳ２８のＹｅｓ）、抵抗値設定部３５３は指針値の一の位の値に対応する抵抗値を可変抵抗部３５４に設定する（ステップＳ２９）。
【００５４】
信号ＳBR、ＳRB、ＳBW、ＳWBが全てディスイネーブルになり、測定電流の供給が停止した場合（ステップＳ３０のＹｅｓ）、抵抗値設定部３５３は正常に終了したか否かを判別する（ステップＳ３１）。
【００５５】
正常に終了したと判断した場合（ステップＳ３１のＹｅｓ）、抵抗値設定部３５３は表示部３８に正常終了したことを示す（ステップＳ３２）。正常に終了しなかったと判断した場合（ステップＳ３１のＮｏ）、抵抗値設定部３５３は表示部３８に異常終了したことを示す（ステップＳ３３）。以上の処理で、メモリ３４に格納されている指針値を検針盤２０に通知することができる。
【００５６】
次に、図８を参照して内蔵電池電圧監視部３７が行う処理について説明する。  
内蔵電池電圧監視部３７は、予め設定された内蔵電池３６の電圧をチェックする周期であるか否かを判別する（ステップＳ４１）。設定された周期であると判断した場合（ステップＳ４１のＹｅｓ）、内蔵電池電圧監視部３７は内蔵電池３６の電圧を測定する（ステップＳ４２）。内蔵電池電圧監視部３７は測定値が設定値より低いか否かを判別する（ステップＳ４３）。設定値より低くないと判断した場合（ステップＳ４３）、内蔵電池電圧監視部３７は内部に設けられているカウンタの値をリセットする（ステップＳ４７）。設定値より低いと判断した場合（ステップＳ４３のＹｅｓ）、内蔵電池電圧監視部３７は内部のカウンタの値を＋１カウントアップする（ステップＳ４４）。内蔵電池電圧監視部３７は、カウンタの値を読み出し、カウント値が８以上であるか否かを判別する（ステップＳ４５）。８以上であると判断した場合（ステップＳ４５のＹｅｓ）内蔵電池電圧監視部３７は表示部３８に電圧低下を示す表示を行う。８以上では無いと判断した場合（ステップＳ４５のＮｏ）、内蔵電池電圧監視部３７は次のチェック周期まで待機する。以上の処理で内蔵電池３６電圧が低下した場合に、表示部３８に電圧が低下したことを表示することができる。
【００５７】
なお、上記説明は３線式で行ったが、５線式にも対応することができる。５線式では電流の向きを変えずに４桁の値を取得するために５本の線を用いている。つまり、５線式の検針盤は、４桁の値を取得するための４つの測定系統が、５本の線を用いて構成される。
【００５８】
図９に示すように、定電流源２０１の一端側に接続する共通線ＬCがエンコーダ出力部３５内の可変抵抗部３５４の一端側に接続する。定電流源２０１の他端側は、スイッチ部２０２を介して線Ｌ1〜Ｌ4の何れかに接続する。線Ｌ1〜Ｌ4はエンコーダ出力部３５内で共通な線Ｌ5に接続されている。線Ｌ5は可変抵抗部３５４の他端側に接続されている。指針値の取得時、スイッチ部２０２は、定電流源２０１の他端側に接続する線をＬ1から順にＬ2、Ｌ3、Ｌ4へと順次切り替える。Ｌ1は千の位の桁の値を読み取るためのラインである。また、Ｌ2は百の位の桁の値を読み取るためのラインである。Ｌ3は十の位の桁の値を読み取るためのラインである。Ｌ4は一の位の桁の値を読み取るためのラインである。
【００５９】
エンコーダ出力部３５の測定電流検出部３５１は、線Ｌ1〜Ｌ4の中から定電流（測定電流）が流れている線を検出し、検出した線の情報を抵抗値設定部３５３に通知する。抵抗値設定部３５３は通知された線の情報に応じた、メモリ１０に格納されている指針値の桁の値に対応する抵抗値を可変抵抗部３５４に設定する。
【００６０】
なお、図９に示す構成では、図３に示す３線式の場合と異なり、エンコーダ出力部３５内に可変抵抗部３５４に接続する線を選択するためのスイッチ部（３５２）を設けていない。これは、検針盤２０内で定電流源２０１に接続する線をスイッチ部２０２を用いて切り替えているからである。同様に、図３に示す構成でも、スイッチ部３５２を省略し、赤線ＬRおよび白線ＬWを線ＬRWに直接接続しても良い。
【００６１】
なお、図９に示した５線式のメータにおいて、千の位の値を通知する線Ｌ1に可変抵抗が挿入されておらず、線Ｌ1に０等の値に相当する抵抗が挿入されている場合がある。この場合、線Ｌ1は線Ｌ2〜Ｌ4の測定値を校正するために用いられる。この場合、リモートアダプタ装置は、線Ｌ1の測定値から線Ｌ2〜Ｌ4の測定値を校正する構成を有することが好ましい。また、このようなメータの場合、リモートアダプタ装置は、指針値の一の位の桁の値、十の位の桁の値、および百の位の桁の値の３桁の値のみを取得することができる。
【００６２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６３】
１０…電子式指針方式メータ，１０…電子式メータ，２０…集中検針盤，２１，２２…定電流源，２３，２４…スイッチ部，２５…Ａ／Ｄ変換回路，３０…リモートアダプタ装置，３１…テストスイッチ，３２…カレンダークロック，３３…メータ通信部，３４…メモリ，３５…エンコーダ出力部，３６…内蔵電池，３７…内蔵電池電圧監視部，３８…表示部，３５１…測定電流検出部，３５２…スイッチ部，３５３…抵抗値設定部，３５４…可変抵抗部，３５１１…検出部。
【図１】
2010204950.tif 000004
【図２】
2010204950.tif 000005
【図３】
2010204950.tif 000006
【図４】
2010204950.tif 000007
【図５】
2010204950.tif 000008
【図６】
2010204950.tif 000009
【図７】
2010204950.tif 000010
【図８】
2010204950.tif 000011
【図９】
2010204950.tif 000012